(57)【要約】【課題】携帯端末との通信を適切に行うことのできる画像形成装置、画像形成装置の制御プログラム、および画像形成システムを提供する。【解決手段】画像形成装置としてのＭＦＰ（Ｍｕｌｔｉｆｕｎｃｔｉｏｎ  Ｐｅｒｉｐｈｅｒａｌ）１は、原稿台１１への原稿のセット、手差しトレイ１２への用紙のセット、またはＵＳＢ（Ｕｎｉｖｅｒｓａｌ  Ｓｅｒｉａｌ  Ｂｕｓ）メモリのＵＳＢコネクタへの接続を検出した場合に、ＭＦＰ１の付近に存在する携帯端末２との無線通信を開始する。ＭＦＰ１は、無線通信を開始した場合に、携帯端末２のユーザーの情報、またはジョブの設定の情報を受信し、携帯端末２のユーザーの情報を用いたログイン処理、またはジョブの設定の情報に基づいたジョブの設定を行う処理を実行する。【選択図】図１
2014026163.tif 000002
【特許請求の範囲】
【請求項１】
画像形成装置の原稿台への原稿のセット、前記画像形成装置の手差し用紙載置台への用紙のセット、および前記画像形成装置への外部記憶装置の接続よりなる群から選ばれる少なくとも１つの操作を検出する操作検出手段と、
前記操作検出手段にて操作を検出した場合に、前記画像形成装置の付近に存在する携帯端末との無線通信を開始する通信開始手段と、
前記通信開始手段にて無線通信を開始した場合に、前記携帯端末のユーザーの情報、およびジョブの設定の情報のうち少なくともいずれか一方の情報を受信する情報受信手段と、
前記携帯端末のユーザーの情報を用いたログイン処理、および前記ジョブの設定の情報に基づいたジョブの設定を行う処理のうち少なくともいずれか一方の処理を実行する処理実行手段とを備えた、画像形成装置。
【請求項２】
前記情報受信手段は、
前記携帯端末のユーザーの情報を受信する第１の情報受信手段と、
前記ジョブの設定の情報を受信する第２の情報受信手段とを含み、
前記処理実行手段は、
前記携帯端末のユーザーの情報を用いたログイン処理を行う第１の処理実行手段と、
前記ジョブの設定の情報に基づいたジョブの設定を行う処理を行う第２の処理実行手段とを含む、請求項１に記載の画像形成装置。
【請求項３】
前記第１の処理実行手段にてログイン処理を行った後で、実行指示を受け付ける実行指示受付手段と、
前記実行指示受付手段にて実行指示を受け付けた場合に、前記第２の処理実行手段にて処理を行ったジョブの設定でジョブを実行するジョブ実行手段とをさらに備えた、請求項２に記載の画像形成装置。
【請求項４】
前記第２の情報受信手段は、前記携帯端末から前記ジョブの設定の情報を受信する、請求項２または３に記載の画像形成装置。
【請求項５】
前記第２の情報受信手段は、前記画像形成装置とネットワーク接続されたサーバーから前記ジョブの設定の情報を受信する、請求項２または３に記載の画像形成装置。
【請求項６】
前記操作検出手段は、前記原稿台への原稿のセットを検出する、請求項１〜５のいずれかに記載の画像形成装置。
【請求項７】
前記操作検出手段にて検出した原稿の読み込みが終了した場合、および前記操作検出手段にて検出した原稿が前記原稿台から無くなった場合のうち少なくともいずれか一方の場合に、前記携帯端末のユーザーのログアウト処理を行う第１のログアウト手段をさらに備えた、請求項６に記載の画像形成装置。
【請求項８】
前記操作検出手段は、前記手差し用紙載置台への用紙のセットを検出する、請求項１〜７のいずれかに記載の画像形成装置。
【請求項９】
前記操作検出手段にて検出した用紙への印刷が終了した場合、および前記操作検出手段にて検出した用紙が手差し用紙載置台から無くなった場合のうち少なくともいずれか一方の場合に、前記携帯端末のユーザーのログアウト処理を行う第２のログアウト処理手段をさらに備えた、請求項８のいずれかに記載の画像形成装置。
【請求項１０】
前記操作検出手段は、前記画像形成装置への前記外部記憶装置の接続を検出する、請求項１〜９のいずれかに記載の画像形成装置。
【請求項１１】
前記画像形成装置への前記外部記憶装置の接続が解除された場合に、前記携帯端末のユーザーのログアウト処理を行う第３のログアウト手段をさらに備えた、請求項１０に記載の画像形成装置。
【請求項１２】
前記通信開始手段は、前記画像形成装置にログインしているユーザーが居ない場合に無線通信を開始し、前記画像形成装置にログインしているユーザーが居る場合に無線通信を開始しない、請求項１〜１１のいずれかに記載の画像形成装置。
【請求項１３】
前記通信開始手段にて通信を開始した時に前記ジョブの設定の情報が存在する場合に、前記情報受信手段は前記ジョブの設定の情報を受信し、前記通信開始手段にて通信を開始した時に前記ジョブの設定の情報が存在しない場合に、前記情報受信手段はジョブの設定の情報を受信しない、請求項１〜１２のいずれかに記載の画像形成装置。
【請求項１４】
前記情報受信手段へ送信する前記ジョブの設定の選択を受け付ける選択受付手段をさらに備え、
前記情報受信手段は、前記選択受付手段にて受け付けた前記ジョブの設定の情報を受信する、請求項１〜１３のいずれかに記載の画像形成装置。
【請求項１５】
画像形成装置の原稿台への原稿のセット、前記画像形成装置の手差し用紙載置台への用紙のセット、および前記画像形成装置への外部記憶装置の接続よりなる群から選ばれる少なくとも１つの操作を検出する操作検出ステップと、
前記操作検出ステップにて操作を検出した場合に、前記画像形成装置の付近に存在する携帯端末との無線通信を開始する通信開始ステップと、
前記通信開始ステップにて無線通信を開始した場合に、前記携帯端末のユーザーの情報、およびジョブの設定の情報のうち少なくともいずれか一方の情報を受信する情報受信ステップと、
前記携帯端末のユーザーの情報を用いたログイン処理、および前記ジョブの設定の情報に基づいたジョブの設定を行う処理のうち少なくともいずれか一方の処理を実行する処理実行ステップとをコンピューターに実行させる、画像形成装置の制御プログラム。
【請求項１６】
画像形成装置と、携帯端末とを備えた画像形成システムであって、
前記携帯端末のユーザーの情報、または前記携帯端末で受け付けた前記画像形成装置のジョブの設定の情報のうち少なくともいずれか一方の情報を記憶する記憶手段と、
前記画像形成装置の原稿台への原稿のセット、前記画像形成装置の手差し用紙載置台への用紙のセット、および前記画像形成装置への外部記憶装置の接続よりなる群から選ばれる少なくとも１つの操作を前記画像形成装置で検出する操作検出手段と、
前記操作検出手段にて操作を検出した場合に、前記画像形成装置と、前記画像形成装置の付近に存在する前記携帯端末との無線通信を開始する通信開始手段と、
前記通信開始手段にて無線通信を開始した場合に、前記記憶手段にて記憶した情報を前記画像形成装置で受信する情報受信手段と、
前記携帯端末のユーザーの情報を用いたログイン処理、および前記ジョブの設定の情報に基づいたジョブの設定を行う処理のうち少なくともいずれか一方の処理を前記画像形成装置で実行する処理実行手段とを備えた、画像形成システム。
【発明の詳細な説明】
【技術分野】
【０００１】
本発明は画像形成装置、画像形成装置の制御プログラム、および画像形成システムに関し、より特定的には、携帯端末との通信を適切に行うことのできる画像形成装置、画像形成装置の制御プログラム、および画像形成システムに関する。
【背景技術】
【０００２】
ｉＰａｄ（登録商標）、電子書籍、またはｉＰｈｏｎｅ（登録商標）などに代表される、タッチパネルを使用したユーザーインターフェースを持つ携帯端末が、近年普及している。これらの携帯端末はスマートフォンと呼ばれている。ＭＦＰ（Ｍｕｌｔｉｆｕｎｃｔｉｏｎ  Ｐｅｒｉｐｈｅｒａｌ）を始めとする画像形成装置でも、携帯端末との連携が要求されている。
【０００３】
上記の要求に応えるべく、画像形成装置ではリモートパネル機能が提案されている。リモートパネル機能とは、ネットワークなどを介して画像形成装置と接続された携帯端末で画像形成装置の操作を受け付け、その操作の情報を携帯端末から画像形成装置へ送り、画像形成装置においてその操作の情報に基づく処理を行い、その処理に伴う更新画面の情報を携帯端末へ送信する機能である。リモートパネル機能によれば、画像形成装置の操作パネルを携帯端末から操作することができる。携帯端末とＭＦＰとを近距離無線通信で接続し、携帯端末から送信したデータをＭＦＰで印刷する技術は、既に製品化されている。
【０００４】
ＭＦＰでは、スキャン送信、ファクス送信、またはコピーなどのジョブを実行する場合に、読取の設定、送信先の設定、ファイル名の設定、出力ファイル形式の設定、または出力用紙の設定などの様々な設定をユーザーは行う必要がある。これらの設定は、通常はＭＦＰの操作パネルで行われる。しかし、ＭＦＰと端末装置とが連携し、ユーザー個人の携帯端末でこれらの設定が行うことが可能であれば、ＭＦＰの操作パネルが一人のユーザーによって長時間占有されるのを回避することができる。
【０００５】
ＭＦＰと端末装置との連携に関する技術は、たとえば下記特許文献１〜３に記載されている。下記特許文献１には、携帯端末がＭＦＰとの通信可能範囲内に入ると、携帯端末とＭＦＰとの間で近距離無線通信の接続を開始し、携帯端末とＭＦＰとの間で携帯端末の利用者の認証を行い、携帯端末とＭＦＰとの間の通信チャンネルを確立する技術が開示されている。この技術では、スキャンの読取設定と、読み取りにより生成される電子データのファイル名とを、携帯端末は近距離無線通信でＭＦＰへ送信する。ＭＦＰは、保存先のフォルダを特定するアドレス情報と、電子データに付与したファイル名とを携帯端末に送信する。
【０００６】
下記特許文献２には、利用者のＩＣ（Ｉｎｔｅｇｒａｔｅｄ  Ｃｉｒｃｕｉｔ）カードから読取った識別情報と、利用者の携帯端末から受信した宛先情報とを対応付けて記憶し、ＩＣカードから読取った識別情報に対応する宛先情報に基づいて、原稿から読取った画像情報を送信する読取画像送信装置が開示されている。
【０００７】
下記特許文献３には、画像形成装置の使用前に、ユーザーの携帯する携帯情報端末とＭＦＰとの間で短距離間無線通信を確立しておき、携帯情報端末を携帯したユーザーが画像形成装置に画像記録媒体を取り忘れたときに、携帯情報端末側で警告を行い、これを報知する無線通信システムが開示されている。
【先行技術文献】
【特許文献】
【０００８】
【特許文献１】特開２０１０−１３０６５６号公報
【特許文献２】特開２００８−２１９７７１号公報
【特許文献３】特開２０１０−１５４０３０号公報
【発明の概要】
【発明が解決しようとする課題】
【０００９】
ＭＦＰは、コピー、スキャン送信、ファクス送信、ファクス受信プリント、またはＰＣ（Ｐｅｒｓｏｎａｌ  Ｃｏｍｐｕｔｅｒ）プリントなどの様々な機能を一台で実現している。このため、たとえば特許文献１の技術のように、携帯端末がＭＦＰとの通信可能範囲内に入った場合に、携帯端末とＭＦＰとの間で近距離無線通信の接続を自動的に開始すると、ユーザーがファクス受信プリントやＰＣプリントの出力用紙を取るなどの目的で、ＭＦＰに接近しただけで携帯端末とＭＦＰとの通信が発生し、不必要に省電力状態を解除してしまい消費電力が上がるという問題があった。
【００１０】
また、携帯端末で予めジョブの設定を行い、その設定を携帯端末からＭＦＰへ送信し、ＭＦＰでジョブを実行するように、画像形成システムを構成することが想定される。しかし、この構成では、実際のジョブ実行時に、携帯端末で行った設定を呼び出すなどの操作をＭＦＰの操作パネルで行う必要がある。このため、操作が煩雑になる問題があった。
【００１１】
本発明は、上記課題を解決するためのものであり、その目的は、携帯端末との通信を適切に行うことのできる画像形成装置、画像形成装置の制御プログラム、および画像形成システムを提供することである。
【課題を解決するための手段】
【００１２】
本発明の一の局面に従う画像形成装置は、画像形成装置の原稿台への原稿のセット、画像形成装置の手差しトレイへの用紙のセット、および画像形成装置への外部記憶装置の接続よりなる群から選ばれる少なくとも１つの操作を検出する操作検出手段と、操作検出手段にて操作を検出した場合に、画像形成装置の付近に存在する携帯端末との無線通信を開始する通信開始手段と、通信開始手段にて無線通信を開始した場合に、携帯端末のユーザーの情報、およびジョブの設定の情報のうち少なくともいずれか一方の情報を受信する情報受信手段と、携帯端末のユーザーの情報を用いたログイン処理、およびジョブの設定の情報に基づいたジョブの設定を行う処理のうち少なくともいずれか一方の処理を実行する処理実行手段とを備える。
【００１３】
上記画像形成装置において好ましくは、情報受信手段は、携帯端末のユーザーの情報を受信する第１の情報受信手段と、ジョブの設定の情報を受信する第２の情報受信手段とを含み、処理実行手段は、携帯端末のユーザーの情報を用いたログイン処理を行う第１の処理実行手段と、ジョブの設定の情報に基づいたジョブの設定を行う処理を行う第２の処理実行手段とを含む。
【００１４】
上記画像形成装置において好ましくは、第１の処理実行手段にてログイン処理を行った後で、実行指示を受け付ける実行指示受付手段と、実行指示受付手段にて実行指示を受け付けた場合に、第２の処理実行手段にて処理を行ったジョブの設定でジョブを実行するジョブ実行手段とをさらに備える。
【００１５】
上記画像形成装置において好ましくは、第２の情報受信手段は、携帯端末からジョブの設定の情報を受信する。
【００１６】
上記画像形成装置において好ましくは、第２の情報受信手段は、画像形成装置とネットワーク接続されたサーバーからジョブの設定の情報を受信する。
【００１７】
上記画像形成装置において好ましくは、操作検出手段は、原稿台への原稿のセットを検出する。
【００１８】
上記画像形成装置において好ましくは、操作検出手段にて検出した原稿の読み込みが終了した場合、および操作検出手段にて検出した原稿が原稿台から無くなった場合のうち少なくともいずれか一方の場合に、携帯端末のユーザーのログアウト処理を行う第１のログアウト手段をさらに備える。
【００１９】
上記画像形成装置において好ましくは、操作検出手段は、手差しトレイへの用紙のセットを検出する。
【００２０】
上記画像形成装置において好ましくは、操作検出手段にて検出した用紙への印刷が終了した場合、および操作検出手段にて検出した用紙が手差しトレイから無くなった場合のうち少なくともいずれか一方の場合に、携帯端末のユーザーのログアウト処理を行う第２のログアウト処理手段をさらに備える。
【００２１】
上記画像形成装置において好ましくは、操作検出手段は、画像形成装置への外部記憶装置の接続を検出する。
【００２２】
上記画像形成装置において好ましくは、画像形成装置への外部記憶装置の接続が解除された場合に、携帯端末のユーザーのログアウト処理を行う第３のログアウト手段をさらに備える。
【００２３】
上記画像形成装置において好ましくは、通信開始手段は、画像形成装置にログインしているユーザーが居ない場合に無線通信を開始し、画像形成装置にログインしているユーザーが居る場合に無線通信を開始しない。
【００２４】
上記画像形成装置において好ましくは、通信開始手段にて通信を開始した時にジョブの設定の情報が存在する場合に、情報受信手段はジョブの設定の情報を受信し、通信開始手段にて通信を開始した時にジョブの設定の情報が存在しない場合に、情報受信手段はジョブの設定の情報を受信しない。
【００２５】
上記画像形成装置において好ましくは、情報受信手段へ送信するジョブの設定の選択を受け付ける選択受付手段をさらに備え、情報受信手段は、選択受付手段にて受け付けたジョブの設定の情報を受信する。
【００２６】
本発明の他の局面に従う画像形成装置の制御プログラムは、画像形成装置の原稿台への原稿のセット、画像形成装置の手差しトレイへの用紙のセット、および画像形成装置への外部記憶装置の接続よりなる群から選ばれる少なくとも１つの操作を検出する操作検出ステップと、操作検出ステップにて操作を検出した場合に、画像形成装置の付近に存在する携帯端末との無線通信を開始する通信開始ステップと、通信開始ステップにて無線通信を開始した場合に、携帯端末のユーザーの情報、およびジョブの設定の情報のうち少なくともいずれか一方の情報を受信する情報受信ステップと、携帯端末のユーザーの情報を用いたログイン処理、およびジョブの設定の情報に基づいたジョブの設定を行う処理のうち少なくともいずれか一方の処理を実行する処理実行ステップとをコンピューターに実行させる。
【００２７】
本発明のさらに他の局面に従う画像形成システムは、画像形成装置と、携帯端末とを備えた画像形成システムであって、携帯端末のユーザーの情報、または携帯端末で受け付けた画像形成装置のジョブの設定の情報のうち少なくともいずれか一方の情報を記憶する記憶手段と、画像形成装置の原稿台への原稿のセット、画像形成装置の手差しトレイへの用紙のセット、および画像形成装置への外部記憶装置の接続よりなる群から選ばれる少なくとも１つの操作を画像形成装置で検出する操作検出手段と、操作検出手段にて操作を検出した場合に、画像形成装置と、画像形成装置の付近に存在する携帯端末との無線通信を開始する通信開始手段と、通信開始手段にて無線通信を開始した場合に、記憶手段にて記憶した情報を画像形成装置で受信する情報受信手段と、携帯端末のユーザーの情報を用いたログイン処理、およびジョブの設定の情報に基づいたジョブの設定を行う処理のうち少なくともいずれか一方の処理を画像形成装置で実行する処理実行手段とを備える。
【発明の効果】
【００２８】
本発明によれば、携帯端末との通信を適切に行うことのできる画像形成装置、画像形成装置の制御プログラム、および画像形成システムを提供することができる。
【図面の簡単な説明】
【００２９】
【図１】本発明の第１の実施の形態における画像形成システムの構成を概念的に示す図である。
【図２】ＭＦＰ１の構成を示すブロック図である。
【図３】固定記憶装置１１０が記憶するユーザー情報テーブルを模式的に示す図である。
【図４】携帯端末２の構成を示すブロック図である。
【図５】メニュー画面を表示した状態の携帯端末２を模式的に示す図である。
【図６】印刷アプリの画面を表示した状態の携帯端末２を模式的に示す図である。
【図７】原稿台１１に原稿がセットされる様子を模式的に示す図である。
【図８】ＭＦＰ１が携帯端末２から情報を受信する様子を模式的に示す図である。
【図９】本発明の第１の実施の形態におけるＭＦＰ１の動作を説明するフローチャートである。
【図１０】本発明の第１の実施の形態において、コピージョブの設定を受け付ける際の携帯端末２の動作を説明するフローチャートである。
【図１１】本発明の第１の実施の形態において、ＭＦＰ１と近距離無線通信を行う際の携帯端末２の動作を説明するフローチャートである。
【図１２】本発明の第２の実施の形態におけるＭＦＰ１の動作を説明するフローチャートである。
【図１３】本発明の第３の実施の形態におけるＭＦＰ１の動作を説明するフローチャートである。
【図１４】本発明の第４の実施の形態における画像形成システムの構成を概念的に示す図である。
【図１５】本発明の第４の実施の形態におけるＭＦＰ１の動作を説明するフローチャートである。
【図１６】本発明の第４の実施の形態において、コピージョブの設定を受け付ける際の携帯端末２の動作を説明するフローチャートである。
【図１７】本発明の第４の実施の形態において、ＭＦＰ１と近距離無線通信を行う際の携帯端末２の動作を説明するフローチャートである。
【図１８】ファイル送信ジョブの設定の選択画面を表示した状態の携帯端末２を模式的に示す図である。
【図１９】本発明の第５の実施の形態において、ファイル送信ジョブの設定を受け付ける際の携帯端末２の動作を説明するフローチャートである。
【図２０】本発明の第５の実施の形態において、ＭＦＰ１と近距離無線通信を行う際の携帯端末２の動作を説明するフローチャートである。
【発明を実施するための形態】
【００３０】
以下、本発明の実施の形態について、図面に基づいて説明する。
【００３１】
［第１の実施の形態］
始めに、本実施の形態における画像形成システムの構成について説明する。
【００３２】
図１は、本発明の第１の実施の形態における画像形成システムの構成を概念的に示す図である。
【００３３】
図１を参照して、画像形成システムは、ＭＦＰ１（画像形成装置の一例）と、携帯端末２とを備えている。ＭＦＰ１と携帯端末２とは無線通信、好ましくは近距離無線通信が可能である。
【００３４】
近距離無線通信とは、通信距離が数１０ｍ程度までの無線通信である。近距離無線通信の具体例として、たとえばＢｌｕｅｔｏｏｔｈ（登録商標）、ＵＷＢ（Ｕｌｔｒａ  Ｗｉｄｅ  Ｂａｎｄ）、ＺｉｇＢｅｅ（登録商標）、ＩｒＤＡ（登録商標）、またはＮＦＣ（Ｎｅａｒ  Ｆｉｅｌｄ  Ｃｏｍｍｕｎｉｃａｔｉｏｎ）などを挙げることができる。
【００３５】
ＭＦＰ１は、たとえばスキャナー機能、ファクシミリ機能、複写機能、プリンターとしての機能、データ通信機能、およびサーバー機能を含んでいる。ＭＦＰ１は、ネットワーク４を通じて他のＭＦＰやＰＣなどの外部機器（図示無し）と相互に接続されている。ネットワーク４は、たとえば有線または無線のＬＡＮ（Ｌｏｃａｌ  Ａｒｅａ  Ｎｅｔｗｏｒｋ）などの専用回線を用いたものである。ネットワーク４は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて各種機器を接続する。ネットワーク４に接続された機器は、お互いに各種データのやり取りが可能となっている。
【００３６】
ＭＦＰ１は、読み取り対象となる原稿をセットするための原稿台１１と、ハガキなどの特殊な用紙を都度セットするための手差しトレイ１２（手差し用紙載置台の一例）と、ＵＳＢ（Ｕｎｉｖｅｒｓａｌ  Ｓｅｒｉａｌ  Ｂｕｓ）コネクタ１９０とを含んでいる。
【００３７】
携帯端末２は、たとえばユーザーによって個人的に所有されているものである。携帯端末２は、所有者であるユーザーの情報を記憶している。
【００３８】
なお、画像形成システムは、複数の携帯端末を含むなど、図１とは異なる構成を有していてもよい。画像形成装置は、たとえば電子写真方式や静電記録方式などによって画像形成を行うものであればよく、ＭＦＰの他、ファクシミリ装置、複写機、またはプリンターなどであってもよい。携帯端末は、ユーザー情報を記憶可能であればよく、たとえばスマートフォンなどの携帯電話、または画像形成装置に対して着脱可能な操作パネルなどであってもよい。
【００３９】
図２は、ＭＦＰ１の構成を示すブロック図である。
【００４０】
図２を参照して、ＭＦＰ１は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＳＲＡＭ（Ｓｔａｔｉｃ  Ｒａｎｄｏｍ  Ａｃｃｅｓｓ  Ｍｅｍｏｒｙ）１０３と、ＮＶＲＡＭ（Ｎｏｎ  Ｖｏｌａｔｉｌｅ  Ｒａｎｄｏｍ  Ａｃｃｅｓｓ  Ｍｅｍｏｒｙ、不揮発性メモリ）１０４と、時計ＩＣ（Ｉｎｔｅｇｒａｔｅｄ  Ｃｉｒｃｕｉｔ）１０５と、固定記憶装置１１０と、画像読取装置１２０と、操作パネル１３０と、原稿検知部１４０と、プリンタコントローラ１５０と、ネットワークＩ／Ｆ１６０と、手差し用紙検知部１７０と、近距離無線Ｉ／Ｆ１８０と、ＵＳＢコネクタ１９０と、個人認証部１９５とを含んでいる。
【００４１】
ＣＰＵ１０１には、ＲＯＭ１０２、ＳＲＡＭ１０３、ＮＶＲＡＭ１０４、および時計ＩＣ１０５の各々がバスを介して接続されている。ＣＰＵ１０１、ＲＯＭ１０２、ＳＲＡＭ１０３、ＮＶＲＡＭ１０４、および時計ＩＣ１０５によって制御部１００が構成されている。ＣＰＵ１０１は、スキャンジョブ、コピージョブ、メール送信ジョブ、およびプリントジョブなどの各種ジョブについて、ＭＦＰ１全体の制御を行う。ＣＰＵ１０１は、ＲＯＭ１０２に記憶された制御プログラムを実行する。ＲＯＭ１０２は、ＭＦＰ１の動作を制御する制御プログラムを格納する。ＳＲＡＭ１０３はＣＰＵ１０１の作業用のメモリである。ＮＶＲＡＭ１０４はバッテリバックアップにより、画像形成に関わる各種の設定を記憶している。
【００４２】
制御部１００には、固定記憶装置１１０、画像読取装置１２０、操作パネル１３０、原稿検知部１４０、プリンタコントローラ１５０、ネットワークＩ／Ｆ１６０、手差し用紙検知部１７０、近距離無線Ｉ／Ｆ１８０、ＵＳＢコネクタ１９０、および個人認証部１９５の各々がバスを介して接続されている。固定記憶装置１１０は、たとえばハードディスク装置であり、ユーザー情報テーブル（図３）その他の各種情報を記憶している。画像読取装置１２０は、原稿台１１にセットされた原稿の画像を読み取る。操作パネル１３０は、ユーザーに対して各種情報を表示し、かつユーザーから各種操作を受け付ける。原稿検知部１４０は、原稿台１１にセットされた原稿を、たとえば赤外線センサーなどで検知する。プリンタコントローラ１５０は、ネットワークＩ／Ｆ１６０により受信したプリントデータから複写画像を生成する。ネットワークＩ／Ｆ１６０は、ネットワークケーブルなどを介してＭＦＰ１をネットワーク４に接続する。ネットワークＩ／Ｆ１６０は、外部機器との間で、各種の情報を送受信する。手差し用紙検知部１７０は、手差しトレイ１２にセットされた用紙を、たとえば赤外線センサーなどで検知する。近距離無線Ｉ／Ｆ１８０は、携帯端末２との近距離無線通信に用いられる。個人認証部１９５は、たとえばＩＤおよびパスワードの入力を受け付けることなどにより、ＭＦＰ１を使用するユーザーのログイン処理を行う。
【００４３】
図３は、固定記憶装置１１０が記憶するユーザー情報テーブルを模式的に示す図である。
【００４４】
図３を参照して、ユーザー情報テーブルには、ＭＦＰ１と近距離無線通信可能な携帯端末と、携帯端末のユーザーとの関係が記録されている。ユーザー情報テーブルには、たとえば、ＭＦＰ１と近距離無線通信可能な携帯端末のＩＤ（Ｉｄｅｎｔｉｆｉｃａｔｉｏｎ）であるパネルＩＤと、ユーザーの名前と、ユーザーのパスワードなどが記録されている。パネルＩＤは携帯端末のＩＰアドレスや製品番号などであってもよい。
【００４５】
図４は、携帯端末２の構成を示すブロック図である。
【００４６】
図４を参照して、携帯端末２は、ＣＰＵ２０１と、ＲＯＭ２０２と、ＲＡＭ２０３と、固定記憶装置２１０と、タッチパネル（操作パネル）２２０と、近距離無線Ｉ／Ｆ２３０とを含んでいる。ＣＰＵ２０１には、ＲＯＭ２０２およびＲＡＭ２０３の各々がバスを介して接続されている。ＣＰＵ２０１、ＲＯＭ２０２、およびＲＡＭ２０３によって制御部２００が構成されている。ＣＰＵ２０１は、携帯端末２全体の制御を行う。ＣＰＵ２０１は、ＲＯＭ２０２に記憶された制御プログラムを実行する。ＲＯＭ２０２は、携帯端末２の動作を制御する制御プログラムを格納する。ＲＡＭ２０３はＣＰＵ２０１の作業用のメモリである。
【００４７】
制御部２００には、固定記憶装置２１０、タッチパネル２２０、および近距離無線Ｉ／Ｆ２３０の各々がバスを介して接続されている。固定記憶装置２１０は、たとえばハードディスク装置であり、携帯端末２の所有者であるユーザーの情報その他の各種情報を記憶している。タッチパネル２２０は、各種の情報を表示するとともに、画面を直接タッチすることによるユーザーの操作入力を受け付ける。近距離無線Ｉ／Ｆ２３０は、ＭＦＰ１との近距離無線通信に用いられる。
【００４８】
続いて、画像形成システムの動作について説明する。
【００４９】
以下の第１〜第４の実施の形態では、携帯端末２を通じて行った設定で、ＭＦＰ１がコピージョブを実行する場合の画像形成システムの動作について説明する。
【００５０】
図５は、メニュー画面を表示した状態の携帯端末２を模式的に示す図である。
【００５１】
図５を参照して、携帯端末２は、タッチパネル２２０にメニュー画面ＤＰ０を表示可能である。メニュー画面ＤＰ０には、携帯端末２で実行可能な各アプリケーションのアイコンが表示される。このアイコンには、印刷アプリのアイコンＩＣが含まれている。印刷アプリとは、携帯端末２にインストールされたアプリケーションであり、携帯端末２からＭＦＰ１などの画像形成装置に対して、印刷ジョブまたはコピージョブの設定および実行指示を行うためのアプリケーションである。
【００５２】
携帯端末２のユーザーが、自分以外のユーザーがＭＦＰ１にログインしているなどの理由により、ＭＦＰ１でコピージョブを直ちに実行することができない状況を想定する。このような状況では、携帯端末２のユーザーは、コピージョブの設定を行ないながらＭＦＰ１が使用可能になるのを待つ。携帯端末２のユーザーは、具体的には、アイコンＩＣを押下することにより印刷アプリを起動し、印刷アプリの画面を通じて印刷ジョブまたはコピージョブに関する設定を行い、その設定を固定記憶装置２１０に保存する。
【００５３】
図６は、印刷アプリの画面を表示した状態の携帯端末２を模式的に示す図である。
【００５４】
図６を参照して、ユーザーによってアイコンＩＣが押下された場合、携帯端末２は印刷アプリを起動し、印刷アプリの画面ＤＰ１をタッチパネル２２０に表示する。印刷アプリの画面ＤＰ１は、メニュー画面ＤＰ０の上の階層に表示される。
【００５５】
印刷アプリの画面ＤＰ１は、印刷の設定に関する各種項目のソフトウェアキーであるキーＫ１１〜Ｋ１５を含んでいる。キーＫ１１〜Ｋ１５の各々は、それぞれ、印刷部数の設定、印刷の色の設定、使用する用紙の設定（使用する用紙が保管されたトレイの選択）、片面印刷または両面印刷の設定、およびステープルの設定を受け付けるキーである。印刷アプリの画面ＤＰ１からは、これら以外の項目の設定が可能であってもよい。
【００５６】
印刷アプリの画面ＤＰ１は、さらに、携帯端末２の固定記憶装置２１０に記憶されたファイルの中から、印刷対象となるファイルを選択するためのキーＫ１６と、設定を保存するためのキーＫ１７とを含んでいる。
【００５７】
携帯端末２のユーザーは、キーＫ１１〜Ｋ１５を通じて印刷ジョブまたはコピージョブに関する設定を行い、キーＫ１７を通じてその設定を保存する。印刷ジョブを実行する場合には、携帯端末２のユーザーは、キーＫ１６を通じて印刷対象となるファイルを選択する。携帯端末２は、キーＫ１７の押下を受け付けると、それまでに受け付けた設定の情報を固定記憶装置２１０に記憶する。この時、設定を受け付けていない項目については、デフォルトの設定が固定記憶装置２１０に記憶されてもよい。
【００５８】
なお、携帯端末２は、印刷アプリの画面を通じて受け付ける以外の方法でコピージョブの設定を受け付けてもよい。携帯端末２には、印刷ジョブおよびコピージョブ以外のジョブ（たとえばファイル送信ジョブなど）の設定を受け付けるアプリケーションがインストールされていてもよい。
【００５９】
図７は、原稿台１１に原稿がセットされる様子を模式的に示す図である。
【００６０】
図７を参照して、携帯端末２のユーザーＵＲは、携帯端末２を所持しながらＭＦＰ１へ接近し、コピー元となる原稿ＭＳをＭＦＰ１の原稿台１１へセットする。ＭＦＰ１は、原稿台１１にセットされた原稿ＭＳを原稿検知部１４０で検知すると、ＭＦＰ１にログインしているユーザー（操作パネル１３０を通じて既にログインしているユーザー）が居ないかを判断する。
【００６１】
ＭＦＰ１にログインしているユーザーが居ないと判断した場合、ＭＦＰ１は、ＭＦＰ１との近距離無線通信が可能な携帯端末を検索する。その結果、ＭＦＰ１は、ユーザーＵＲが所持している携帯端末２を発見し、発見した携帯端末２との近距離無線通信を開始する。つまり、ＭＦＰ１は、原稿台１１への原稿ＭＳのセットをトリガにして、近くにある個人の携帯端末２と近距離無線通信を開始する。一方、ＭＦＰ１にログインしているユーザーが居る場合に、ＭＦＰ１は、携帯端末２との近距離無線通信を開始しない。
【００６２】
なお、ＭＦＰ１が複数のユーザーのログインを許可するものであるなどの場合、ＭＦＰ１は、ログインしているユーザーが居ないかの判断を行わずに、携帯端末２との近距離無線通信を開始してもよい。
【００６３】
図８は、ＭＦＰ１が携帯端末２から情報を受信する様子を模式的に示す図である。
【００６４】
図８を参照して、ＭＦＰ１との近距離無線通信が開始すると、携帯端末２は、ＭＦＰ１からの要求に応じて、携帯端末２のユーザーの情報（固定記憶装置２１０に記憶しているユーザーの情報）と、コピージョブの設定の情報（携帯端末２の固定記憶装置２１０に記憶しているコピージョブの設定の情報）とをＭＦＰ１へ送信する。ＭＦＰ１は、携帯端末２からこれらの情報を受信する。
【００６５】
なお、携帯端末２は、ＭＦＰ１との近距離無線通信を開始した場合に、ＭＦＰ１からの要求無しに自発的に情報をＭＦＰ１へ送信してもよい。
【００６６】
ＭＦＰ１は、携帯端末２のユーザーの情報を受信すると、その情報を用いてログイン処理を実行し、携帯端末２のユーザーに対してＭＦＰ１の使用を許可する。ＭＦＰ１は、具体的には、携帯端末２から受信したユーザー名およびパスワードと、ユーザー情報テーブルの内容とを比較することにより、携帯端末２のユーザーを特定し、そのユーザーに対してＭＦＰ１の使用を許可する。またＭＦＰ１は、コピージョブの設定の情報を受信すると、その情報に基づくコピージョブの設定を行う処理を実行する。ＭＦＰ１は、具体的には、受信したコピージョブの設定の情報を、操作パネル１３０を通じて受け付けたコピージョブの設定の情報として、たとえば固定記憶装置１１０などに記憶する。
【００６７】
ＭＦＰ１は、ログイン処理およびコピージョブの設定を行う処理を行った後で、操作パネル１３０または携帯端末２を通じてコピージョブの実行指示を受け付ける。ＭＦＰ１は、実行指示を受け付けた場合に、固定記憶装置１１０などに記憶した設定でコピージョブを実行する。つまり、ＭＦＰ１は、ユーザーの認証と、携帯端末２で予め設定されたコピージョブの設定の呼び出しとを自動的に行い、ジョブスタートの操作の受け付けた場合に、呼び出した設定でコピージョブを実行する。
【００６８】
なお、ＭＦＰ１は、携帯端末２のユーザーの情報、およびコピージョブの設定の情報のうち少なくともいずれか一方の情報を受信し、受信したユーザーの情報を用いたログイン処理、および受信したコピージョブの設定の情報に基づくコピージョブの設定を行う処理のうち少なくともいずれか一方の処理を実行すればよい。
【００６９】
たとえば、ＭＦＰ１が使用するユーザーに対してログインを要求しないものであるなどの場合、携帯端末２は、ユーザーの情報を送信せずにコピージョブの設定の情報を送信し、ＭＦＰ１はログイン処理を実行せずに、コピージョブの設定を行う処理を実行してもよい。また、携帯端末２またはサーバーにコピージョブの設定の情報が保存されていないなどの場合、携帯端末２はコピージョブの設定の情報を送信せずにユーザーの情報を送信し、ＭＦＰ１はコピージョブの設定を行う処理を実行せずに、受信したユーザーの情報を用いてログイン処理を実行してもよい。この場合において、コピージョブの実行指示を受け付けたときは、ＭＦＰ１は、デフォルトの設定でコピージョブを実行してもよい。
【００７０】
画像読取装置１２０による原稿の読み込み（スキャン）が完了した場合、または原稿台１１から原稿が無くなった（持ち去られた）ことを原稿検知部１４０が検知した場合などに、ＭＦＰ１は、携帯端末２のユーザーのログアウト処理を実行する。
【００７１】
図９は、本発明の第１の実施の形態におけるＭＦＰ１の動作を説明するフローチャートである。
【００７２】
図９を参照して、ＭＦＰ１のＣＰＵ１０１は、原稿台１１にセットされた原稿を原稿検知部１４０で検知したか否かを判別する（Ｓ１）。
【００７３】
ステップＳ１において、原稿を検知したと判別した場合（Ｓ１でＹＥＳ）、ＣＰＵ１０１は、ＭＦＰ１にログインしているユーザーが居ないか否かを判別する（Ｓ３）。
【００７４】
ステップＳ３において、ログインしているユーザーが居ないと判別した場合（Ｓ３でＹＥＳ）、ＣＰＵ１０１は、ＭＦＰ１と近距離無線通信が可能な携帯端末が存在するか否かを判別する（Ｓ５）。
【００７５】
ステップＳ５において、携帯端末が存在すると判別した場合（Ｓ５でＹＥＳ）、ＣＰＵ１０１は、その携帯端末に対して近距離無線通信を行うことを要求し（Ｓ７）、携帯端末との近距離無線通信を確立し（Ｓ９）、ステップＳ１１の処理へ進む。
【００７６】
ステップＳ１において、原稿を検知しないと判別した場合（Ｓ１でＮＯ）、ステップＳ３において、ログインしているユーザーが居ると判別した場合（Ｓ３でＮＯ）、またはステップＳ５において、携帯端末が存在しないと判別した場合（Ｓ５でＮＯ）、ＣＰＵ１０１は、ステップＳ１の処理へ進む。
【００７７】
ステップＳ１１において、ＣＰＵ１０１は、携帯端末２からユーザーの情報を受信したか否かを判別する（Ｓ１１）。
【００７８】
ステップＳ１１において、ユーザーの情報を受信したと判別した場合（Ｓ１１でＹＥＳ）、ＣＰＵ１０１は、受信したユーザーの情報を用いてログイン処理を実行し（Ｓ１３）、ステップＳ１５の処理へ進む。一方、ステップＳ１１において、ユーザーの情報を受信しないと判別した場合（Ｓ１１でＮＯ）、ＣＰＵ１０１はステップＳ１５の処理へ進む。
【００７９】
ステップＳ１５において、ＣＰＵ１０１は、携帯端末２からコピージョブの設定の情報を受信したか否かを判別する（Ｓ１５）。
【００８０】
ステップＳ１５において、コピージョブの設定の情報を受信したと判別した場合（Ｓ１５でＹＥＳ）、ＣＰＵ１０１は、受信したコピージョブの設定の情報をコピージョブの設定の情報として固定記憶装置１１０などに記憶し（Ｓ１７）、ステップＳ１９の処理へ進む。一方、ステップＳ１５において、コピージョブの設定の情報を受信しないと判別した場合（Ｓ１５でＮＯ）、ＣＰＵ１０１はステップＳ１９の処理へ進む。
【００８１】
ステップＳ１９において、ＣＰＵ１０１は、コピージョブの実行指示を受け付け（Ｓ１９）、画像読取装置１２０による原稿の読み込みが完了したか否かを判別する（Ｓ２１）。原稿の読み込みが完了したと判別するまで、ＣＰＵ１０１はステップＳ２１の処理を繰り返す。
【００８２】
ステップＳ２１において、原稿の読み込みが完了したと判別した場合（Ｓ２１でＹＥＳ）、ＣＰＵ１０１は、ログインしているユーザーのログアウト処理を実行し（Ｓ２３）、ステップＳ１の処理へ進む。
【００８３】
図１０は、本発明の第１の実施の形態において、コピージョブの設定を受け付ける際の携帯端末２の動作を説明するフローチャートである。
【００８４】
図１０を参照して、印刷アプリを起動した場合、携帯端末２のＣＰＵ２０１は、印刷アプリの画面を通じて（タッチパネル２２０上で）、コピージョブの設定の操作をユーザーから受け付ける（Ｓ１０１）。次にＣＰＵ２０１は、ユーザーから受け付けたコピージョブの設定を固定記憶装置２１０などに記憶し（Ｓ１０３）、処理を終了する。
【００８５】
図１１は、本発明の第１の実施の形態において、ＭＦＰ１と近距離無線通信を行う際の携帯端末２の動作を説明するフローチャートである。
【００８６】
図１１を参照して、携帯端末２のＣＰＵ２０１は、近距離無線通信を行うことの要求をＭＦＰ１から受け付けたか否かを判別する（Ｓ２０１）。要求を受け付けたと判別するまで、ＣＰＵ２０１は、ステップＳ２０１の処理を繰り返す。
【００８７】
ステップＳ２０１において、要求を受け付けたと判別した場合（Ｓ２０１でＹＥＳ）、ＣＰＵ２０１は、ＭＦＰ１との近距離無線通信を確立する（Ｓ２０３）。次にＣＰＵ２０１は、固定記憶装置２１０などがユーザーの情報を記憶しているか否かを判別する（Ｓ２０５）。
【００８８】
ステップＳ２０５において、ユーザーの情報を記憶していると判別した場合（Ｓ２０５でＹＥＳ）、ＣＰＵ２０１は、そのユーザー情報をＭＦＰ１に送信し（Ｓ２０７）、ステップＳ２０９の処理へ進む。一方、ステップＳ２０５において、ユーザーの情報を記憶していないと判別した場合（Ｓ２０５でＮＯ）、ＣＰＵ２０１はステップＳ２０９の処理へ進む。
【００８９】
ステップＳ２０９において、ＣＰＵ２０１は、固定記憶装置２１０などがコピージョブの設定の情報を記憶しているか否かを判別する（Ｓ２０９）。
【００９０】
ステップＳ２０９において、コピージョブの設定の情報を記憶していると判別した場合（Ｓ２０９でＹＥＳ）、ＣＰＵ２０１は、そのコピージョブの設定の情報をＭＦＰ１に送信し（Ｓ２１１）、ステップＳ２１３の処理へ進む。一方、ステップＳ２０９において、コピージョブの設定の情報を記憶していないと判別した場合（Ｓ２０９でＮＯ）、ＣＰＵ２０１はステップＳ２１３の処理へ進む。
【００９１】
ステップＳ２１３において、ＣＰＵ２０１は、ＭＦＰ１との近距離無線通信を切断し（Ｓ２１３）、ステップＳ２０１の処理へ進む。
【００９２】
［第２の実施の形態］
本実施の形態では、ＭＦＰ１が、手差しトレイ１２への用紙のセットをトリガにして、近くにある個人の携帯端末２と近距離無線通信を開始する場合の、画像形成システムの動作について説明する。
【００９３】
ＭＦＰ１は、ＭＦＰ１の使用を開始する操作として、手差しトレイ１２への用紙（出力用紙）のセットを検出した場合に、ＭＦＰ１の付近に存在する携帯端末２との無線通信を開始する。
【００９４】
また、手差しトレイ１２の用紙への印刷が完了した場合、手差しトレイ１２から用紙が無くなった（持ち去られた）ことを手差し用紙検知部１７０で検知した場合などに、ＭＦＰ１は、携帯端末２のユーザーのログアウト処理を実行する。
【００９５】
図１２は、本発明の第２の実施の形態におけるＭＦＰ１の動作を説明するフローチャートである。
【００９６】
図１２を参照して、ＭＦＰ１のＣＰＵ１０１は、手差しトレイ１２にセットされた用紙を手差し用紙検知部１７０で検知したか否かを判別する（Ｓ３１）。
【００９７】
ステップＳ３１において、用紙を検知したと判別した場合（Ｓ３１でＹＥＳ）、ＣＰＵ１０１は、図９のステップＳ３〜ステップＳ１９までの処理を実行する。
【００９８】
ステップＳ３１において、用紙を検知しないと判別した場合（Ｓ３１でＮＯ）、ステップＳ３において、ログインしているユーザーが居ると判別した場合（Ｓ３でＮＯ）、またはステップＳ５において、携帯端末が存在しないと判別した場合（Ｓ５でＮＯ）、ＣＰＵ１０１は、ステップＳ３１の処理へ進む。
【００９９】
ステップＳ１９においてコピージョブの実行指示を受け付けた後で、ＣＰＵ１０１は、ユーザーが実行指示を行ったコピージョブ（プリント）が完了したか否かを判別する（Ｓ３３）。コピージョブが完了したと判別するまで、ＣＰＵ１０１はステップＳ３３の処理を繰り返す。
【０１００】
ステップＳ３３において、コピージョブが完了したと判別した場合（Ｓ３３でＹＥＳ）、ＣＰＵ１０１はステップＳ２３の処理へ進む。
【０１０１】
なお、上述以外の画像形成システムの構成および動作は、第１の実施の形態の場合と同様であるので、その説明は繰り返さない。
【０１０２】
［第３の実施の形態］
本実施の形態では、ＭＦＰ１が、ＭＦＰ１へのＵＳＢメモリ（外部記憶装置の一例）の接続をトリガにして、近くにある個人の携帯端末２と近距離無線通信を開始する場合の、画像形成システムの動作について説明する。
【０１０３】
ＭＦＰ１は、ＭＦＰ１の使用を開始する操作として、ＵＳＢコネクタ１９０へのＵＳＢメモリの接続を検出した場合に、ＭＦＰ１の付近に存在する携帯端末２との無線通信を開始する。
【０１０４】
また、ＭＦＰ１へのＵＳＢメモリの接続が解除された場合に、ＭＦＰ１は、携帯端末２のユーザーのログアウト処理を行う。
【０１０５】
なお、ＭＦＰ１と接続される外部記憶装置は、ＵＳＢメモリの他、たとえばメモリカードやリムーバブルメディアなどであってもよい。
【０１０６】
図１３は、本発明の第３の実施の形態におけるＭＦＰ１の動作を説明するフローチャートである。
【０１０７】
図１３を参照して、ＭＦＰ１のＣＰＵ１０１は、ＵＳＢコネクタ１９０にＵＳＢメモリが接続されたか否かを判別する（Ｓ４１）。
【０１０８】
ステップＳ４１において、ＵＳＢメモリが接続されたと判別した場合（Ｓ４１でＹＥＳ）、ＣＰＵ１０１は、図９のステップＳ３〜ステップＳ１９までの処理を実行する。
【０１０９】
ステップＳ４１において、ＵＳＢメモリが接続されないと判別した場合（Ｓ４１でＮＯ）、ステップＳ３において、ログインしているユーザーが居ると判別した場合（Ｓ３でＮＯ）、またはステップＳ５において、携帯端末が存在しないと判別した場合（Ｓ５でＮＯ）、ＣＰＵ１０１は、ステップＳ４１の処理へ進む。
【０１１０】
ステップＳ１９においてコピージョブの実行指示を受け付けた後で、ＣＰＵ１０１は、ＵＳＢコネクタ１９０とＵＳＢメモリとの接続が切断されたか否かを判別する（Ｓ４３）。接続が切断されたと判別するまで、ＣＰＵ１０１はステップＳ４３の処理を繰り返す。
【０１１１】
ステップＳ４３において、接続が切断されたと判別した場合（Ｓ４３でＹＥＳ）、ＣＰＵ１０１はステップＳ２３の処理へ進む。
【０１１２】
なお、上述以外の画像形成システムの構成および動作は、第１の実施の形態の場合と同様であるので、その説明は繰り返さない。
【０１１３】
［第４の実施の形態］
本実施の形態では、ＭＦＰ１とネットワーク接続されたサーバーから、ＭＦＰ１がコピージョブの設定の情報を受信する場合の、画像形成システムの動作について説明する。
【０１１４】
図１４は、本発明の第４の実施の形態における画像形成システムの構成を概念的に示す図である。
【０１１５】
図１４を参照して、画像形成システムは、ＭＦＰ１および携帯端末２の他に、サーバー３と、アクセスポイント５とをさらに備えている。ＭＦＰ１、サーバー３、およびアクセスポイント５の各々は、ネットワーク４を通じて相互に接続されている。
【０１１６】
サーバー３は、コピージョブの設定を記憶するための記憶装置を含んでおり、たとえばＰＣよりなっている。アクセスポイント５は、無線ＬＡＮのアクセスポイントである。携帯端末２はアクセスポイント５を経由してサーバー３と接続されている。
【０１１７】
携帯端末２は、印刷アプリの画面を通じてコピージョブの設定を保存する操作（図６のキーＫ１７の押下）をユーザーから受け付けると、それまでに受け付けた設定の情報を、携帯端末２自身が記憶する代わりに、携帯端末２のユーザーと関連づけてサーバー３に保存（送信）する。
【０１１８】
ＭＦＰ１は、携帯端末２との近距離無線通信を開始し、ユーザーの情報を携帯端末２から受信すると、受信したユーザーの情報に紐づけられたコピージョブの設定の情報を、サーバー３内から検索する。検索の結果、コピージョブの設定の情報が発見された場合、ＭＦＰ１は、発見したコピージョブの設定の情報をサーバー３から受信し、受信した情報に基づくコピージョブの設定を行う処理を実行する。
【０１１９】
図１５は、本発明の第４の実施の形態におけるＭＦＰ１の動作を説明するフローチャートである。
【０１２０】
図１５を参照して、ＭＦＰ１のＣＰＵ１０１は、始めに図９のステップＳ１〜ステップＳ１１またはステップＳ１３までの処理を実行する。
【０１２１】
ステップＳ１１において、ユーザーの情報を受信しないと判別した場合（Ｓ１１でＮＯ）、またはステップＳ１３の処理を実行した後、ＣＰＵ１０１は、携帯端末２のユーザーの情報に紐づけられたコピージョブの設定の情報が、サーバー３に記憶されているか否かを判別する（Ｓ５１）。
【０１２２】
ステップＳ５１において、サーバー３に記憶されていると判別した場合（Ｓ５１でＹＥＳ）、ＣＰＵ１０１は、そのコピージョブの設定の情報をサーバー３から取得し、たとえば固定記憶装置１１０などに記憶する（Ｓ５３）。その後ＣＰＵ１０１は、ステップＳ１９およびステップＳ２１の処理を実行する。一方、ステップＳ５１において、サーバー３に記憶されていないと判別した場合（Ｓ５１でＮＯ）、ＣＰＵ１０１はステップＳ１９およびステップＳ２１の処理を実行する。この場合、ＣＰＵ２０１は、デフォルトのジョブの設定を使用してコピージョブを実行する。
【０１２３】
図１６は、本発明の第４の実施の形態において、コピージョブの設定を受け付ける際の携帯端末２の動作を説明するフローチャートである。
【０１２４】
図１６を参照して、印刷アプリを起動した場合、携帯端末２のＣＰＵ２０１は、印刷アプリの画面（タッチパネル２２０上で）を通じて、コピージョブの設定の操作をユーザーから受け付ける（Ｓ１０１）。次にＣＰＵ２０１は、ユーザーから受け付けたコピージョブの設定を、携帯端末２のユーザー情報と紐づけてサーバー３に記憶させ（Ｓ１１１）、処理を終了する。
【０１２５】
図１７は、本発明の第４の実施の形態において、ＭＦＰ１と近距離無線通信を行う際の携帯端末２の動作を説明するフローチャートである。
【０１２６】
図１７を参照して、携帯端末２のＣＰＵ２０１は、近距離無線通信を行うことの要求をＭＦＰ１から受け付けたか否かを判別する（Ｓ２０１）。要求を受け付けたと判別するまで、ＣＰＵ２０１は、ステップＳ２０１の処理を繰り返す。
【０１２７】
ステップＳ２０１において、要求を受け付けたと判別した場合（Ｓ２０１でＹＥＳ）、ＣＰＵ２０１は、ＭＦＰ１との近距離無線通信を確立する（Ｓ２０３）。次にＣＰＵ２０１は、固定記憶装置２１０などがユーザーの情報を記憶しているか否かを判別する（Ｓ２０５）。
【０１２８】
ステップＳ２０５において、ユーザーの情報を記憶していると判別した場合（Ｓ２０５でＹＥＳ）、ＣＰＵ２０１は、そのユーザー情報をＭＦＰ１に送信し（Ｓ２０７）、コピージョブの設定の情報を送信すること無くステップＳ２１３の処理へ進む。一方、ステップＳ２０５において、ユーザーの情報を記憶していないと判別した場合（Ｓ２０５でＮＯ）、ＣＰＵ２０１はステップＳ２１３の処理へ進む。
【０１２９】
ステップＳ２１３において、ＣＰＵ２０１は、ＭＦＰ１との近距離無線通信を切断し（Ｓ２１３）、ステップＳ２０１の処理へ進む。
【０１３０】
なお、上述以外の画像形成システムの構成および動作は、第１の実施の形態の場合と同様であるので、その説明は繰り返さない。
【０１３１】
［第５の実施の形態］
本実施の形態では、ＭＦＰ１へ送信するジョブの設定の選択をユーザーから受け付ける場合の、画像形成システムの動作について説明する。
【０１３２】
図１８は、ファイル送信ジョブの設定の選択画面を表示した状態の携帯端末２を模式的に示す図である。
【０１３３】
図１８を参照して、ＭＦＰ１との近距離無線通信が開始すると、携帯端末２は、ファイル送信ジョブの設定の選択画面ＤＰ２をタッチパネル２２０に表示する。選択画面ＤＰ２は、携帯端末２に保存されているファイル送信ジョブの設定の中からの、ＭＦＰ１へ送信するファイル送信ジョブの設定の選択をユーザーから受け付ける画面である。図１８に示す選択画面ＤＰ２には、携帯端末２に保存されているＮｏ．１〜Ｎｏ．４の４つのファイル送信ジョブの設定が表示されている。それぞれのファイル送信ジョブの設定には、たとえばファイルの送信先のメールアドレスと、送信するファイルの形式とが含まれている。携帯端末２は、選択画面ＤＰ２を通じてユーザーによって選択されたファイル送信ジョブの設定の情報を、ＭＦＰ１へ送信する。
【０１３４】
なお、選択画面ＤＰ２に表示されるファイル送信ジョブの設定には、送信するファイルの名前などがさらに含まれていてもよい。携帯端末２が保存可能なジョブの設定の数には上限が設けられていてもよい。選択画面ＤＰ２は、携帯端末２などに保存されているファイル送信ジョブの設定が複数個存在する場合にのみ表示されてもよいし、ＭＦＰ１と携帯端末２との近距離無線通信が開始した場合に常に表示されてもよい。
【０１３５】
図１９は、本発明の第５の実施の形態において、ファイル送信ジョブの設定を受け付ける際の携帯端末２の動作を説明するフローチャートである。
【０１３６】
図１９を参照して、ファイル送信ジョブの設定を受け付けるアプリケーションを起動した場合、携帯端末２のＣＰＵ２０１は、このアプリケーションの画面（タッチパネル２２０上で）を通じて、ファイル送信ジョブの設定の操作をユーザーから受け付ける（Ｓ１０１）。次にＣＰＵ２０１は、ユーザーから受け付けたファイル送信ジョブの設定の情報を固定記憶装置２１０などに記憶する（Ｓ１０３）。続いてＣＰＵ２０１は、次のファイル送信ジョブの設定を記憶可能な状態か否か（携帯端末２が保存可能なジョブの設定の数の上限に達しているか否か）を判別する（Ｓ１２１）。
【０１３７】
ステップＳ１２１において、記憶可能な状態である（上限に達していない）と判別した場合（Ｓ１２１でＹＥＳ）、ＣＰＵ２０１はステップＳ１０１の処理へ進む。一方、ステップＳ１２１において、記憶可能な状態でない（上限に達している）と判別した場合（Ｓ１２１でＮＯ）、ＣＰＵ２０１は処理を終了する。
【０１３８】
図２０は、本発明の第５の実施の形態において、ＭＦＰ１と近距離無線通信を行う際の携帯端末２の動作を説明するフローチャートである。
【０１３９】
図２０を参照して、携帯端末２のＣＰＵ２０１は、始めに図１１のステップＳ２０１〜ステップＳ２０９までの処理を実行する。
【０１４０】
ステップＳ２０９において、ＣＰＵ２０１は、固定記憶装置２１０などがファイル送信ジョブの設定の情報を記憶しているか否かを判別する（Ｓ２０９）。ステップＳ２０９において、ファイル送信ジョブの設定の情報を記憶していると判別した場合（Ｓ２０９でＹＥＳ）、ＣＰＵ２０１は、固定記憶装置２１０などがファイル送信ジョブの複数の設定の情報を記憶しているか否かを判別する（Ｓ２２１）。
【０１４１】
ステップＳ２２１において、複数の設定の情報を記憶していると判別した場合（Ｓ２２２１でＹＥＳ）、ＣＰＵ２０１は、ファイル送信ジョブの設定の選択画面ＤＰ２をタッチパネル２２０に表示し、ユーザーからの選択を受け付ける（Ｓ２２３）。その後、ＣＰＵ２０１はステップＳ２１１の処理へ進む。
【０１４２】
ステップＳ２２１において、１つのみの設定の情報を記憶していると判別した場合（Ｓ２２１でＮＯ）、ＣＰＵ２０１はステップＳ２１１の処理へ進み、ユーザーからの選択を受け付けること無く、記憶している設定の情報をＭＦＰ１に送信する（Ｓ２１１）。
【０１４３】
なお、上述以外の画像形成システムの構成および動作は、第１の実施の形態の場合と同様であるので、その説明は繰り返さない。
【０１４４】
［実施の形態の効果］
上述の実施の形態によれば、ＭＦＰ１は、原稿台１１への原稿のセット、手差しトレイ１２への用紙のセット、またはＭＦＰ１へのＵＳＢメモリの接続をトリガと認識して携帯端末２との近距離無線通信を開始し、ログイン処理またはジョブの設定を行う処理を自動的に行う。これらの操作はいずれも、ＭＦＰ１を操作するために元々必要な操作であるので、ユーザーは、ＭＦＰ１を使用するために元々必要な操作のみを実施することでジョブを実行するができる。また、ＭＦＰ１は、不必要に省電力状態を解除することが無くなり、携帯端末２との通信を適切に行うことができる。さらに、携帯端末２の接近を検出する近接センサーなどをＭＦＰ１に装着しなくても、ＭＦＰ１は携帯端末２との連携操作を行うことができる。
【０１４５】
［その他］
画像形成装置が実行するジョブは、プリントジョブ、ファクシミリ送信ジョブなど、上述のコピージョブおよびファイル送信ジョブ以外の種類のジョブであってもよく、画像形成装置が受信するジョブの設定の情報は、上述のコピージョブおよびファイル送信ジョブ以外の種類のジョブの設定の情報であってもよい。
【０１４６】
上述の実施の形態は適宜組み合わせることができる。たとえば、第１〜第３の実施の形態を互いに組み合わせて、原稿台１１への原稿のセット、手差しトレイ１２への用紙のセット、およびＭＦＰ１へのＵＳＢメモリの接続のうち少なくともいずれか１つの操作を検知した場合に、ＭＦＰ１は、近くにある個人の携帯端末２と近距離無線通信を開始してもよい。また、第２または第３の実施の形態と、第４の実施の形態とを互いに組み合わせて、手差しトレイ１２への用紙のセット、またはＭＦＰ１へのＵＳＢメモリの接続を検知した場合に、ＭＦＰ１は、サーバー３からジョブの設定の情報を受信してもよい。
【０１４７】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１４８】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４９】
１  ＭＦＰ
２  携帯端末
３  サーバー
４  ネットワーク
５  アクセスポイント
１１  原稿台
１２  手差しトレイ
１００，２００  制御部
１０１，２０１  ＣＰＵ
１０２，２０２  ＲＯＭ
１０３  ＳＲＡＭ
１０４  ＮＶＲＡＭ
１０５  時計ＩＣ
１１０，２１０  固定記憶装置
１２０  画像読取装置
１３０  操作パネル
１４０  原稿検知部
１５０  プリンタコントローラ
１６０  ネットワークＩ／Ｆ
１７０  手差し用紙検知部
１８０，２３０  近距離無線Ｉ／Ｆ
１９０  ＵＳＢコネクタ
１９５  個人認証部
２０３  ＲＡＭ
２２０  タッチパネル
ＤＰ０  メニュー画面
ＤＰ１  印刷アプリの画面
ＤＰ２  選択画面
ＩＣ  アイコン
Ｋ１１〜Ｋ１７  キー
ＭＳ  原稿
ＵＲ  ユーザー
【図１】
2014026163.tif 000003
【図２】
2014026163.tif 000004
【図３】
2014026163.tif 000005
【図４】
2014026163.tif 000006
【図５】
2014026163.tif 000007
【図６】
2014026163.tif 000008
【図７】
2014026163.tif 000009
【図８】
2014026163.tif 000010
【図９】
2014026163.tif 000011
【図１０】
2014026163.tif 000012
【図１１】
2014026163.tif 000013
【図１２】
2014026163.tif 000014
【図１３】
2014026163.tif 000015
【図１４】
2014026163.tif 000016
【図１５】
2014026163.tif 000017
【図１６】
2014026163.tif 000018
【図１７】
2014026163.tif 000019
【図１８】
2014026163.tif 000020
【図１９】
2014026163.tif 000021
【図２０】
2014026163.tif 000022